(57)【要約】【課題】のぼり旗に取付孔を施す作業が不要であり、錘によるのぼり旗または乳輪に負荷をかけることなく、着脱しやすく、見栄えを向上させ、巻上防止ができる。【解決手段】周方向の所定位置に軸方向に切れ目を有する固定リング６と、切れ目から外れた周上の部位に長手方向に形成した支持部７とを有すると共に、固定リング６と支持部７を一体的に形成したことを特徴とするのぼり旗用の巻上げ防止具。のぼり旗用の巻上げ防止具は、のぼり旗用のポール２の側方から装着でき作業しやすく、見栄えをよくすることができる。複数の固定リング６を支持部７で連結する場合、支持部７は固定リング６を連結する連結部（＝支持部７）とすることができる。連結部（＝支持部７）は、固定リング６と一体的に形成しており、支持部の内側に形成した空間にのぼり旗の乳輪５を支持することができ、乳輪５は自由に可動可能である。【選択図】図２
2014106524.tif 000002
【特許請求の範囲】
【請求項１】
周方向の所定位置に軸方向に切れ目を有する固定リングと、前記切れ目から外れた周上の部位に長手方向に形成した支持部とを有すると共に、前記固定リングと前記支持部を一体的に形成したことを特徴とするのぼり旗用の巻上げ防止具。
【請求項２】
前記固定リングは、複数あり、少なくとも一つは弾性力を有することを特徴とする請求項１記載ののぼり旗用の巻上げ防止具。
【請求項３】
前記固定リングは、前記切れ目を開くことによりのぼり旗用のポールの側方から着脱可能で、かつ、装着状態で前記のぼり旗用のポールに保持可能な弾性力を有することを特徴とする請求項１又は２記載ののぼり旗用の巻上げ防止具。
【請求項４】
前記支持部は、のぼり旗に装着時に、のぼり旗用のポールとの間に空間を有することを特徴とする請求項１から３のいずれか１項に記載ののぼり旗用の巻上げ防止具。
【請求項５】
前記支持部は、前記固定リングの周方向に複数形成したことを特徴とする請求項１から４のいずれか１項に記載ののぼり旗用の巻上げ防止具。
【請求項６】
前記支持部の開口は、前記固定リングの切れ目の幅よりも大きいことを特徴とする請求項１から５のいずれか１項に記載ののぼり旗用の巻上げ防止具。
【請求項７】
前記巻上げ防止具を備えたことを特徴とする請求項１から６のいずれか１項に記載ののぼり旗。
【発明の詳細な説明】
【技術分野】
【０００１】  本発明は、各種のスポーツ大会、イベント、街頭での広告宣伝等に使用されるのぼり旗用の巻上防止具に関するものである。
【背景技術】
【０００２】  従来ののぼり旗用の巻上防止具は、のぼり旗の下端に金属リングの取付孔を設け、球体状の錘を取付孔にフックで吊るすことにより巻上を防ぐものがある（特許文献１参照）。
【先行技術文献】
【特許文献】
【０００３】
【特許文献１】特許第３６３７３４２号公報（第６項、図２）
【発明の概要】
【発明が解決しようとする課題】
【０００４】  しかしながら、のぼり旗に錘を吊るす場合には、取付孔を設ける必要があり、貫通や金属リングの固定に伴う作業の治具や部品の調達が必要である。また既に流通し市場にて使用状態にあるのぼり旗においては、取付孔を設ける作業を行うことは一層の作業負担となる。そのため、取付孔を設けずに乳輪に錘のフックを掛け吊るして使用するということが見受けられる。乳輪に吊るすことにより乳輪にたわみができ全体的な見栄えが悪くなる。乳輪・取付孔のいずれにおいても錘を吊るすということは球体が宙に浮いている状態であり違和感がある。更に錘を吊るすことにより、のぼり旗に負荷をかけていることになりのぼり旗の動きを阻害する。【０００５】  本発明は、上記した問題に着目してなされたものであり、着脱作業しやすく、のぼり旗の見栄えを向上すると共に、のぼり旗の動きを円滑にできるのぼり旗用の巻上げ防止具を提供することを目的とする
【課題を解決するための手段】
【０００６】  上記した目的を達成するために、本発明に係るのぼり旗用の巻上げ防止具は、周方向の所定位置に軸方向に切れ目を有する固定リングと、前記切れ目から外れた周上の部位に長手方向に形成した支持部とを有すると共に、前記固定リングと前記支持部を一体的に形成したことを特徴とする。また、本発明に係るのぼり旗用の巻上げ防止具は、あらゆる形や大きさののぼり旗（つまり、ポールを有する旗）に使用することができる。【０００７】  上記した構成ののぼり旗用の巻上げ防止具は、のぼり旗用のポールに側方から装着でき作業しやすく、見栄えをよくすることができると共に、のぼり旗の動きを円滑にできる。【０００８】  また、上記した構成において、固定リングは、複数あり、少なくとも一つは弾性力を有するようにするとよい。
固定リングは、のぼり旗用のポールに側方から装着できる切れ目を形成している。
また、複数の固定リングを支持部で連結する場合、支持部は固定リングを連結する連結部（＝支持部）とすることができる。
支持部は、固定リングと一体的に形成しており、支持部の内側に形成した空間にのぼり旗の乳輪を支持することができ、乳輪と旗は支持部の位置で自由に可動可能である。【０００９】  上記した構成において、固定リングは、切れ目を開くことによりのぼり旗用ポールの側方から着脱可能で、かつ、装着状態でのぼり旗用のポールに保持可能な弾性力を有する。また、この固定リングは、合成樹脂、金属、ゴムなどの材料を用いて形成する。固定リングの切れ目を広げながらのぼり旗用のポールの側方からセットし、固定リングの弾性力でのぼり旗用のポールに保持できる。支持部は、固定リングと同じ種類の材料で一体的に形成するが、異なる材料を用いて成形、接着、溶接等で一体的に形成してもよい。【００１０】  上記した構成において、支持部は、のぼり旗に装着時に、のぼり旗用のポールとの間に空間を有する。のぼり旗用のポールと支持部との間に空間を形成し、この空間位置に乳輪を配置することで、のぼり旗の動きが円滑になる。また、固定リングはのぼり旗用のポールに安定して保持でき、巻上げ防止具の構造を簡易な構造で、しかも小型化することができる。【００１１】  支持部は、固定リングの周方向に複数形成するとよい。支持部を複数形成する場合、支持部の幅は１ｍｍ〜１０ｍｍの範囲にするとよい。また、支持部の間に形成する窓の幅は支持部の幅より大きく形成することで、乳輪の動きをスムーズにできる。【００１２】  支持部の開口は、固定リングの切れ目の幅よりも大きくするとよい。支持部の開口（角度β）を大きくすることで、乳輪の回転角度を拡大でき、のぼり旗が自由に動きやすくできる。また、角度βを小さくすることでのぼり旗の動きを規制し、旗が一定方向に向くようにできる。
固定リングの切れ目の角度（α）は支持部の開口（角度β）より小さくし、のぼり旗用のポールにしっかり保持できるようにするとよい。なお、角度αと角度βの関係は任意に設定することができる。
【発明の効果】
【００１３】  本発明によれば、のぼり旗に取付孔を施す作業が不要であり、錘によるのぼり旗または乳輪に負荷をかけることなく巻上防止ができる。
また、のぼり旗用のポールに側方から着脱しやすくでき、見栄えをよくすることができる。また、のぼり旗の動きを円滑にできる。
【図面の簡単な説明】
【００１４】
【図１】のぼりの全体斜視図
【図２】本発明にかかるのぼり旗用の巻上防止具を装着した状態の概観図
【図３】図２ののぼり旗用の巻上防止具の拡大説明図で、（ａ）は斜視図、（ｂ）は正面図、（ｃ）は背面図
【図４】図３（ａ）のＡ−Ａ部の矢印方向から見た、のぼり旗用の巻上防止具と乳輪の装着状況を示す断面図
【図５】本発明にかかるのぼり旗用の巻上防止具の支持部と固定リングとの位置を模式的に示す図
【図６】実施例２に係るのぼり旗用の巻上防止具の拡大説明図で斜視図
【図７】実施例３に係るのぼり旗用の巻上防止具の拡大説明図で斜視図
【発明を実施するための形態】
【００１５】  以下に図面を参照しつつ、本発明の好適な実施の形態を説明する。なお、以下に説明する実施形態は、本発明の実現手段としての一例であり、本発明は、その趣旨を逸脱しない範囲で以下の実施形態を修正又は変形したもの適用可能である。
【実施例１】
【００１６】  図１において、一般的なのぼりの構成を説明する。のぼりは、布製で縦矩形状ののぼり旗１、のぼり旗用のポール２、横棒３、立て台４で構成される。のぼり旗１は一側面縁と上縁部に取り付けられた複数の環状の乳輪５に、のぼり旗用のポール２と横棒３を挿通しのぼりを形成する。【００１７】  図２は本発明にかかるのぼり旗用の巻上防止具を装着した状態の概観図である。
図３は図２ののぼり旗用の巻上防止具の拡大説明図で、（ａ）は斜視図、（ｂ）は正面図、（ｃ）は背面図である。【００１８】  のぼり旗用の巻上防止具１００は、互いに周上の同一位置において軸方向に縦断する切れ目を有す２個の固定リング６と、前記切れ目から外れた周上の部位または外周面において前記固定リング６を連結する弾性を有する連結部７を１個から複数個備える。なお、連結部は本願発明の支持部の一形態である。【００１９】  固定リング６は、弾性を有する素材であり、合成樹脂、金属、ゴムなどの材料を用いて形成し、のぼり旗用のポール２の経より僅かに小さい。のぼり旗用のポール２は一般的には直径２２ｍｍ或いは２５ｍｍが使用されている。装着にはのぼり旗用のポール２の所定箇所に当該切れ目を開くことによりのぼり旗用のポール２に側方から装着及び脱着可能で、かつ装着時にのぼり旗用のポール２を弾性力で保持する。装着箇所はのぼり旗１の一側面縁に取り付けられた乳輪５の最下部か最下部から２番目が良い。【００２０】  図４は、のぼり旗用のポール２、乳輪５、固定リング６、連結部７を図３（ａ）のＡ−Ａ部の矢印方向から見た時の断面図である。【００２１】  連結部７は固定リング６と同様な弾性を有する素材であり、一体的に形成るすが、異なる材料を用いて成形、接着、溶接等で一体的に形成してもよい。のぼり旗用のポール２に装着時には連結部７は、のぼり旗用のポール２の周面と固定リング６とで空間Ｋを有する。この空間Ｋにより乳輪５は圧着されずに空間Ｋを自由に動くことが可能である。空間Ｋにより乳輪５に無理な力がかからないので、のぼり旗１、乳輪５にたわみが発生する事はない。強風時などで、のぼり旗１が巻上られる場合には連結部７と固定リング６が乳輪５を取り囲んでいるため物理的に巻上がることはない。【００２２】  連結部７の長さは乳輪５の帯幅より長く２５ｍｍ以上にすることにより装着時に固定リング６が乳輪５を圧着することを防ぐ。また連結部７の長さを調整することにより乳輪５の上下移動の幅を自由に設定することが可能である。【００２３】  固定リング６の切れ目の角度αと連結部７の間口の角度βの関係は、α＜βでなければならない。連結部７が１個の場合は必ずα＜βが成立する。連結部７が複数の場合は、連結部７は固定リング６の切れ目から外れた部位からでないと設置できないのでα＜βが成立する。連結部７の間口の角度βが広ければ乳輪５は左右自在に回転する自由度を増すことになる。自由度が増せば、のぼり旗１が乳輪５によって抑制されることなく自然にはためくことが可能である。また、連結部７の間口の角度βを小さくすれば乳輪５は動きを規制され、旗が一定方向に向くようにできる。
【実施例２】
【００２４】  図６は、実施例２に係るのぼり旗用の巻上防止具１００の拡大説明図で、斜視図である。上記のように実施例１では、連結部７は固定リング６の切れ目を外れた周上の部位から伸びて連結しているが、本実施例では、連結部７は固定リング６の外周面から伸びて連結する点で異なる。すなわち、連結部７が外側に張り出すことによりのぼり旗用のポール２の周面との距離が確保できる。距離が確保できることにより連結部７とのぼり旗用のポール２の周面と固定リング６とでの形成される空間Ｋを広くすることが可能となる。
【実施例３】
【００２５】  図７は、実施例３に係るのぼり旗用の巻上防止具１００の拡大説明図で、斜視図である。上記のように実施例１では、固定リング６は２個からなる。連結部（支持部）７は固定リング６を連結する役割と、のぼり旗用のポール２の周面と固定リング６とで空間Ｋを有する役割の２つの役割を果たしている。本実施例では、固定リング６が１個で、固定リング６の外周面から支持部７が伸びている。空間Ｋは固定リング６の外周面と支持部７とで形成される点で異なる。固定リング６はのぼり旗用のポール２を弾性力で保持し、長さは乳輪５の帯幅より長く２５ｍｍ以上にすることにより乳輪５が自由に動ける空間が確保できる。
【符号の説明】
【００１８】１  のぼり旗
２  のぼり旗用のポール
３  横棒
４  立て台
５  乳輪
６  固定リング
７  支持部（連結部）
１００  のぼり旗用の巻上防止具
Ｋ  空間
【図１】
2014106524.tif 000003
【図２】
2014106524.tif 000004
【図３】
2014106524.tif 000005
【図４】
2014106524.tif 000006
【図５】
2014106524.tif 000007
【図６】
2014106524.tif 000008
【図７】
2014106524.tif 000009
【手続補正書】
【提出日】平成25年4月18日(2013.4.18)
【手続補正１】
【補正対象書類名】特許請求の範囲
【補正対象項目名】全文
【補正方法】変更
【補正の内容】
【特許請求の範囲】
【請求項１】
周方向の所定位置に軸方向に切れ目を有する複数の固定リングと、固定リング間に、固定リングの切れ目から外れた周上の部位に長手方向に形成した複数の支持部を備え、前記固定リングは、切れ目を開くことによりのぼり旗用のポールの側方から着脱可能で、かつ、装着状態で前記のぼり旗用のポールに保持可能な弾性力を有し、前記支持部は、のぼり旗に装着時に、のぼり旗用のポールとの間に空間を有するように構成し、この空間により乳輪は圧着されずに空間を自由に動くことを可能にしたことを特徴とするのぼり旗用の巻上げ防止具。